(57)【要約】【課題】カードやカードトレイ等のカード状体の誤挿入を好適に防止することができるカードコネクタ及びカードコネクタを使用した電子機器のカード接続構造の提供。【解決手段】カード状体２が挿入されるハウジング４を備え、カード挿入部奥側にコネクタ幅方向の一方に片寄せて配置された誤挿入防止部材７が形成されるとともに、カード状体２のカード状体挿入方向先端片側に正規の挿入位置に至るまで誤挿入防止部材７と互いに干渉しないように回避部８が形成され、カード状体２は、正規姿勢でカード挿入部３に挿入された際に正規挿入位置まで挿入でき、非正規姿勢でカード挿入部３に挿入された際にカード状体２の端縁が誤挿入防止部材７に当て止めされて正規挿入位置に至る移動が規制されるようにした。【選択図】図１２
2014041701.tif 000002
【特許請求の範囲】
【請求項１】
カード状体が挿入されるカード挿入部を有するハウジングと、前記カード挿入部内に突出し、前記カード状体の片面側に露出した信号伝達端子と接触する複数のコンタクトとを備えてなるカードコネクタにおいて、
前記カード挿入部奥側にコネクタ幅方向の一方に片寄せて配置された誤挿入防止部材が形成されるとともに、
前記カード状体の挿入方向先端片側に正規の挿入位置に至るまで前記誤挿入防止部材と互いに干渉しないように回避部が形成され、
前記カード状体は、正規姿勢で前記カード挿入部に挿入された際に前記正規挿入位置まで挿入でき、非正規姿勢で前記カード挿入部に挿入された際に前記カード状体の端縁が前記誤挿入防止部材に当て止めされて前記正規挿入位置に至る移動が規制されるようにしたことを特徴としてなるカードコネクタ。
【請求項２】
前記カード状体は、カードが収容されるカード収容部を有するトレイ部材を備え、該トレイ部材の挿入方向先端片側に前記回避部が形成されてなる請求項１に記載のカードコネクタ。
【請求項３】
前記カードは、一方の端部の片側に切欠いた形状のカード用回避部が形成され、前記トレイ部材に該カード用回避部を先端側に向けて収容することにより、該カード用回避部が前記回避部の一部を構成するようにしてなる請求項２に記載のカードコネクタ。
【請求項４】
前記トレイ部材は、前記カード収容部奥側にトレイ幅方向の一方に片寄せて配置されたカード用誤挿入防止部材を備え、
前記カードが非正規姿勢の際、該カードの端縁が前記カード用誤挿入防止部材に当て止めされて該カードの他方の端部が前記トレイ部材の後端側に突出されるようにした請求項３に記載のカードコネクタ。
【請求項５】
前記カード状体は、片面又は両面の少なくとも一方の側部より突出した支持片を備えて非対称端面形状に形成され、前記カード挿入部の開口形状が前記カード状体の非対称端面形状に対応した形状に形成されてなる請求項１〜３又は４に記載のカードコネクタ。
【請求項６】
前記ハウジングは、絶縁性合成樹脂材製のモールド基台を有するケース本体を備え、
前記誤挿入防止部材は、前記ケース本体のモールド基台上面に一体に突設されてなる請求項１〜４又は５に記載のカードコネクタ。
【請求項７】
前記ハウジングは、合成樹脂材からなるモールド基台を有するケース本体と、前記モールド基台と対向する天板部を有する金属板材製のシールドカバーとを組み合わせることにより形成され、
前記誤挿入防止部材は、前記天板部を構成する金属板材を切り起こしてモールド基台側に突出させてなる請求項１〜４又は５に記載のカードコネクタ。
【請求項８】
前記誤挿入防止部材は、表面をカード状体挿入方向手前側に向けた受け面部と、該受面部のカード状体挿入方向奥側に配置され且つ前記受面部と交差する方向に向けた交差部とを備えた形状に形成されてなる請求項７に記載のカードコネクタ。
【請求項９】
前記ハウジングは、電子機器に取り付けられた際に該電子機器の一部が前記カード挿入部内に導入されるように形成され、該電子機器の一部が前記誤挿入防止部材を構成するようにした請求項１〜４又は５に記載のカードコネクタ。
【請求項１０】
請求項１〜９に記載のカードコネクタを使用した電子機器のカード接続構造であって、
前記電子機器は、前記ハウジングのカード状体挿入方向手前側に着脱可能に収容される抜け出し防止体を備え、
前記カード状体が前記カード挿入部に非正規姿勢で挿入された際、前記正規挿入位置に至る移動が規制され、該カード状体の手前側端部がハウジングのカード状体挿入方向手前側に突き出ることにより前記抜け出し防止体の電子機器への取付けが規制されるようにしたことを特徴としてなるカードコネクタを使用した電子機器のカード接続構造。
【請求項１１】
前記抜け出し防止体は、前記電子機器に取り付けられることにより該電子機器へ電力を供給するための回路の一部を構成するようにしてなる請求項１０に記載のカードコネクタを使用した電子機器のカード接続構造。
【発明の詳細な説明】
【技術分野】
【０００１】
本発明は、ＩＣカード等のカードを携帯電話機やスマートフォン等の電子機器に接続するためのカードコネクタ及びカードコネクタを使用した電子機器のカード接続構造に関する。
【背景技術】
【０００２】
携帯電話機やスマートフォン等の電子機器では、外部記憶媒体としてフラッシュメモリーカードやＩＣカード等のカードが広く使用されており、このようなカードは、電子機器内に装備されたカードコネクタを介して電子機器に接続させるようになっている。
【０００３】
カードコネクタは、カードが収容されるカードトレイと、カードトレイが収容されるカード挿入部を有するハウジングと、カード挿入部内に突出した弾性接触片を有する複数のコンタクトとを備え、カードを収容したカードトレイをカード挿入部に挿入することによりカードの情報伝達端子が対応するコンタクトと接触するようにしている。
【０００４】
一方、このようなカードコネクタにおいては、カード又はカードトレイが誤った姿勢で挿入されると電子機器の故障の原因ともなり得ることから、カード又はカードトレイの誤挿入を防止するための手段が講じられている（例えば、特許文献１を参照）。
【０００５】
この特許文献１に記載の従来のカードコネクタでは、カードトレイに底面両側部より突出したそれぞれ幅の異なる支持片を形成し、カードトレイの端面形状をトレイ幅方向で非対称形状とするとともに、ハウジング前面に開口したカード挿入部の内底両側部に各支持片の幅に対応したガイド溝を形成することによりハウジングにカードトレイが非正規姿勢では挿入できないようにしている。
【０００６】
一方、従来のカードコネクタには、カードトレイをハウジングに離脱不能に備え、カードトレイをハウジングに対して所定の引き出し位置までしか引き出せないようにし、カードトレイがハウジングに非正規姿勢で挿入できないようにしたものもある。
【先行技術文献】
【特許文献】
【０００７】
【特許文献１】特開２００９−９６５８号公報
【発明の概要】
【発明が解決しようとする課題】
【０００８】
しかしながら、上述の特許文献１に記載されたカードコネクタでは、カードコネクタの薄型化に伴うカードトレイの薄型化により支持片の突出高さを十分に確保することが困難となっており、その為、無理に押し込むと支持片とガイド溝の位置に関係なくハウジングに挿入出来てしまう虞があり、その傾向はカード未収容時に顕著であった。
【０００９】
また、近年では、カードトレイの薄型化を実現するために、カードトレイの底板部に金属板材を用いる場合があり、この様なカードトレイが誤挿入されると金属板材が複数のコンタクトと接触し、短絡の原因となる虞があった。
【００１０】
また、上述のカードトレイをハウジングに離脱不能に取り付けたものでは、カードトレイの誤挿入は防止できるもののカードトレイの破損やカードの規格変更等によってカードトレイの交換が必要とされる場合において、カードトレイがハウジングより離脱不能な構造のため、カードトレイのみを交換することができないという問題があった。
【００１１】
そこで本発明は、このような従来の問題に鑑み、カードやカードトレイ等のカード状体の誤挿入を好適に防止することができるカードコネクタ及びカードコネクタを使用した電子機器のカード接続構造の提供を目的としてなされたものである。
【課題を解決するための手段】
【００１２】
上述の如き従来の問題を解決し、所期の目的を達成するための請求項1に記載の発明の特徴は、カード状体が挿入されるカード挿入部を有するハウジングと、前記カード挿入部内に突出し、前記カード状体の片面側に露出した信号伝達端子と接触する複数のコンタクトとを備えてなるカードコネクタにおいて、前記カード挿入部奥側にコネクタ幅方向の一方に片寄せて配置された誤挿入防止部材が形成されるとともに、前記カード状体の挿入方向先端片側に正規の挿入位置に至るまで前記誤挿入防止部材と互いに干渉しないように回避部が形成され、前記カード状体は、正規姿勢で前記カード挿入部に挿入された際に前記正規挿入位置まで挿入でき、非正規姿勢で前記カード挿入部に挿入された際に前記カード状体の端縁が前記誤挿入防止部材に当て止めされて前記正規挿入位置に至る移動が規制されるようにしたことにある。
【００１３】
請求項２に記載の発明の特徴は、請求項１の構成に加え、前記カード状体は、カードが収容されるカード収容部を有するトレイ部材を備え、該トレイ部材の挿入方向先端片側に前記回避部が形成されてなることにある。
【００１４】
請求項３に記載の発明の特徴は、請求項２の構成に加え、前記カードは、一方の端部の片側に切欠いた形状のカード用回避部が形成され、前記トレイ部材に該カード用回避部をカード状体挿入方向先端側に向けて収容することにより、該カード用回避部が前記回避部の一部を構成するようにしたことにある。
【００１５】
請求項４に記載の発明の特徴は、請求項３の構成に加え、前記トレイ部材は、前記カード収容部奥側にトレイ幅方向の一方に片寄せて配置されたカード用誤挿入防止部材を備え、前記カードが非正規姿勢の際、該カードの端縁が前記カード用誤挿入防止部材に当て止めされて該カードの他方の端部が前記トレイ部材の後端側に突出されるようにしたことにある。
【００１６】
請求項５に記載の発明の特徴は、請求項１〜３又は４の構成に加え、前記カード状体は、片面又は両面の少なくとも一方の側部より突出した支持片を備えて端面形状が非対称に形成され、前記カード挿入部の開口形状が前記カード状体の非対称端面形状に対応した形状に形成されてなることにある
【００１７】
請求項６に記載の発明の特徴は、請求項１〜４又は５の構成に加え、前記ハウジングは、絶縁性合成樹脂材製のモールド基台を有するケース本体を備え、前記誤挿入防止部材は、前記ケース本体のモールド基台上面に一体に突設されてなることにある。
【００１８】
請求項７に記載の発明の特徴は、請求項１〜４又は５の構成に加え、前記ハウジングは、合成樹脂材からなるモールド基台を有するケース本体と、前記モールド基台と対向する天板部を有する金属板材製のシールドカバーとを組み合わせることにより形成され、前記誤挿入防止部材は、前記天板部を構成する金属板材を切り起こしてモールド基台側に突出させてなることにある。
【００１９】
請求項８に記載の発明の特徴は、請求項７の構成に加え、前記誤挿入防止部材は、表面をカード状体挿入方向手前側に向けた受け面部と、該受面部のカード状体挿入方向奥側に配置され且つ前記受面部と交差する方向に向けた交差部とを備えた形状に形成されてなることにある。
【００２０】
請求項９に記載の発明の特徴は、請求項１〜４又は５の構成に加え、前記ハウジングは、電子機器に取り付けられた際に該電子機器の一部が前記カード挿入部内に導入されるように形成され、該電子機器の一部が前記誤挿入防止部材を構成するようにしたことにある。
【００２１】
請求項１０に記載の発明の特徴は、請求項１〜９に記載のカードコネクタを使用した電子機器のカード接続構造であって、前記電子機器は、前記ハウジングのカード状体挿入方向手前側に着脱可能に収容される抜け出し防止体を備え、前記カード状体が前記カード挿入部に非正規姿勢で挿入された際、前記正規挿入位置に至る移動が規制され、該カード状体の手前側端部がハウジングのカード状体挿入方向手前側に突き出ることにより前記抜け出し防止体の電子機器への取付けが規制されるようにしたことにある。
【００２２】
請求項１１に記載の発明の特徴は、請求項１０の構成に加え、前記抜け出し防止体は、前記電子機器に取り付けられることにより該電子機器へ電力を供給するための回路の一部を構成するようにしたことにある。
【発明の効果】
【００２３】
本発明に係るカードコネクタは、上述したように、カード状体が挿入されるカード挿入部を有するハウジングと、前記カード挿入部内に突出し、前記カード状体の片面側に露出した信号伝達端子と接触する複数のコンタクトとを備えてなるカードコネクタにおいて、前記カード挿入部奥側にコネクタ幅方向の一方に片寄せて配置された誤挿入防止部材が形成されるとともに、前記カード状体の挿入方向先端片側に正規の挿入位置に至るまで前記誤挿入防止部材と互いに干渉しないように回避部が形成され、前記カード状体は、正規姿勢で前記カード挿入部に挿入された際に前記正規挿入位置まで挿入でき、非正規姿勢で前記カード挿入部に挿入された際に前記カード状体の端縁が前記誤挿入防止部材に当て止めされて前記正規挿入位置に至る移動が規制されるようにしたことにより、簡易な構造でカード状体の誤挿入を防止することができる。
【００２４】
また、本発明において、前記カード状体は、カードが収容されるカード収容部を有するトレイ部材を備え、該トレイ部材の挿入方向先端片側に前記回避部が形成されてなることにより、トレイ部材の誤挿入を好適に防止することができる。
【００２５】
更に本発明において、前記カードは、一方の端部の片側に切欠いた形状のカード用回避部が形成され、前記トレイ部材に該カード用回避部を先端側に向けて収容することにより、該カード用回避部が前記回避部の一部を構成するようにしてなることにより、トレイ部材及びカードの誤挿入を好適に防止することができ、またカード状体の挿入方向の小型化を図ることができる。
【００２６】
更にまた、本発明において、前記トレイ部材は、前記カード収容部奥側にトレイ幅方向の一方に片寄せて配置されたカード用誤挿入防止部材を備え、前記カードが非正規姿勢の際、該カードの端縁が前記カード用誤挿入防止部材に当て止めされて該カードの他方の端部が前記トレイ部材の後端側に突出されるようにしたことにより、トレイ部材に対してカードの誤挿入を好適に防止することができる。
【００２７】
また、本発明において、前記カード状体は、片面又は両面の少なくとも一方の側部より突出した支持片を備えて非対称端面形状に形成され、前記カード挿入部の開口形状が前記カード状体の非対称端面形状に対応した形状に形成されてなることにより、カード状体の誤挿入を二重に防止することができる。
【００２８】
更に本発明において、前記ハウジングは、絶縁性合成樹脂材製のモールド基台を有するケース本体を備え、前記誤挿入防止部材は、前記ケース本体のモールド基台上面に一体に突設されてなることにより、誤挿入防止部材を好適に形成することができる。
【００２９】
更にまた、本発明において、前記ハウジングは、合成樹脂材からなるモールド基台を有するケース本体と、前記モールド基台と対向する天板部を有する金属板材製のシールドカバーとを組み合わせることにより形成され、前記誤挿入防止部材は、前記天板部を構成する金属板材を切り起こしてモールド基台側に突出させてなることにより、誤挿入防止部材を好適に形成することができる。
【００３０】
また、本発明において、前記誤挿入防止部材は、表面をカード状体挿入方向手前側に向けた受け面部と、該受面部のカード状体挿入方向奥側に配置され且つ前記受面部と交差する方向に向けた交差部とを備えた形状に形成されてなることにより、カード状体による押し込み力に対して高い強度を確保できるとともに、誤挿入防止部材を構成する金属板材の破断面が露出することがなく、カード状体の破損を防止することができる。
【００３１】
前記ハウジングは、電子機器に取り付けられた際に該電子機器の一部が前記カード挿入部内に導入されるように形成され、該電子機器の一部が前記誤挿入防止部材を構成するようにしたことにより、誤挿入防止部材を好適に形成することができるとともに、ハウジングを電子機器に対して容易に位置決めすることができる。
【００３２】
また、本発明に係るカードコネクタを使用した電子機器のカード接続構造では、前記電子機器は、前記ハウジングのカード状体挿入方向手前側に着脱可能に収容される抜け出し防止体を備え、前記カード状体が前記カード挿入部に非正規姿勢で挿入された際、前記正規挿入位置に至る移動が規制され、該カード状体の手前側端部がハウジングのカード状体挿入方向手前側に突き出ることにより前記抜け出し防止体の電子機器への取付けが規制されるようにしたことにより、カードが誤挿入された状態において電子機器の使用を防止することができる。
【００３３】
更に本発明において、前記抜け出し防止体は、前記電子機器に取り付けられることにより該電子機器へ電力を供給するための回路の一部を構成するようにしてなることにより、カード状体が誤挿入された状態での電子機器への電力供給が防止され、短絡による電子機器の故障を防止することができる。
【図面の簡単な説明】
【００３４】
【図１】本発明に係るカードコネクタの一例を示す斜視図である。
【図２】同上のカードコネクタの裏面側から見た斜視図である。
【図３】同上のカード状体を引き出した状態を示す分解斜視図である。
【図４】（ａ）は図３中のカードを示す平面図、（ｂ）は同底面図である。
【図５】（ａ）（ｂ）は同上のトレイ部材を示す斜視図である。
【図６】同上の挿入側先端面の形状を示す背面図である。
【図７】同上のトレイ部材に対するカードの収容状態を説明するための平面図である。
【図８】図１中のハウジングを示す分解斜視図である。
【図９】図８中のケース本体を示す正面図である。
【図１０】（ａ）（ｂ）は図８中のシールドカバーを示す斜視図である。
【図１１】（ａ）は図１０中の誤挿入防止部材部分を示す拡大平面図、（ｂ）は同拡大正面図である。
【図１２】カードコネクタの底板部を取り除いた状態を示す底面図であって、（ａ）はカード状体が正規姿勢で挿入された状態、（ｂ）はトレイ部材単体が不正規姿勢で挿入された状態、（ｃ）はカード及びトレイ部材が不正規姿勢の状態である。
【図１３】本発明に係るカードコネクタの他の実施例のハウジングを示す分解斜視図である。
【図１４】本発明に係るカードコネクタの更に他の実施例のハウジングを示す分解斜視図である。
【図１５】同上のトレイ部材を示す平面図である。
【図１６】同上のカードコネクタのシールドカバーを取り外した状態の平面図であって、（ａ）は正規姿勢で挿入された場合であってトレイ底板部を取り除いた状態、（ｂ）は同カードが不正規姿勢の場合であってトレイ底板部を取り除いた状態、（ｃ）は同トレイ部材が不正規姿勢の場合である。
【図１７】本発明に係るカードコネクタを使用した電子機器のカード接続構造の一例を示す斜視図である。
【発明を実施するための形態】
【００３５】
次に、本発明の実施の態様を図１〜図１７に示した実施例に基づいて説明する。尚、図中符号Ａは携帯電話機やスマートフォン等の電子機器、符号１はカードコネクタ、符号２はカード状体である。
【００３６】
カードコネクタ１は、図１〜図３に示すように、カード状体２が挿入されるカード挿入部３を有するハウジング４と、カード挿入部３内に突出した弾性接触片を有する複数のコンタクト５，５...、６，６...とを備え、カード状体２がカード挿入部３内の正規の挿入位置（以下、正規挿入位置Ｐ１という）に至るまで挿入された際に、カード状体２の片面側に露出した複数の信号伝達端子１３、１３...が対応するコンタクト５，５...、６，６...と接触することによりコンタクト５，５...、６，６...を介してカード９が電子機器Ａに電気的に接続されるようになっている。
【００３７】
また、このカードコネクタ１には、カード挿入部３の奥側にコネクタ幅方向の一方に片寄せて配置された誤挿入防止部材７が形成されるとともに、カード状体２の挿入方向先端片側に正規挿入位置Ｐ１に至るまで誤挿入防止部材７と互いに干渉しないように回避部８が形成されている。
【００３８】
カード状体２は、カード９が収容される片面側に開口した凹状のカード収容部１０を有するトレイ部材１１を備え、カード収容時にはカード９とトレイ部材１１とをもってカード状体２を成し、カード未収容時にはトレイ部材１１単体でカード状体２を成すようになっている。
【００３９】
カード９は、図４に示す如き小型ＩＣカードであって、カード全幅に比してカード全長が長い矩形状に形成され、長手方向の一方の端部片側に斜め方向に切欠いた形状のカード用回避部１２が形成されている。
【００４０】
このカード９の片面には、複数の信号伝達端子１３，１３...をカード幅方向に並べてなる一対の信号伝達端子列がカード全長方向に間隔を置いて並列配置に形成されている。
【００４１】
トレイ部材１１は、図５、図６に示すように、平板状のトレイ底板部１４と、トレイ底板部１４の両側縁より立ち上げた配置の一対の側壁部１５，１６とを備え、トレイ底板部１４及び両側壁部１５，１６をもって凹溝状のカード収容部１０が形成され、このカード収容部１０にカード９が正規姿勢、即ち、信号伝達端子１３，１３...側の面を開口側に向け、且つ、カード用回避部１２をカード状体挿入方向先端側に向けた姿勢で収容されるようになっている。
【００４２】
トレイ底板部１４は、平板状の金属板材をもって構成され、一体成形により絶縁性合成樹脂材製の一対の側壁部１５，１６が互いに間隔を置いて対向し、且つトレイ底板部１４の両側縁より立ち上げた配置に一体化されている。
【００４３】
一方の側壁部１５は、カード状体挿入方向先端側端縁部に内向きに張り出した形状の当て止め部１７を備え、カード９が正規姿勢でカード収容部１０内に収容された場合には、カード９の先端縁がこの当て止め部１７に当て止めされるようになっている。
【００４４】
また、一方の側壁部１５は、他方の側壁部１６よりトレイ厚み方向高さが高く形成され、その部分がトレイ部材１１の片面側に突出した支持片１８を構成し、トレイ挿入側端面形状がトレイ幅方向で非対称形状を成している。
【００４５】
他方の側壁部１６は、カード状体挿入方向先端側端縁に内向きに張り出した形状の縮幅当て止め部１９を備え、一方の側壁部１５の当て止め部１７とともにトレイ部材１１の先端側端面を構成している。
【００４６】
この縮幅当て止め部１９は、図５（ｂ）に示すように、他方の当て止め部１７の張り出し方向長さｘ２に比して張り出し方向長さｘ１が短く形成され、誤挿入防止部材７と干渉しないようになっている。
【００４７】
また、他方の側壁部１６の内側部には、縮幅当て止め部１９の手前側にカード用誤挿入防止部材２０が一体に突設され、カード用誤挿入防止部材２０がカード収容部１０奥側にトレイ幅方向の一方に片寄せて配置されるようになっている。
【００４８】
カード用誤挿入防止部材２０は、図５に示すように、カード用回避部１２の形状に合わせた平面視三角形状に形成され、カード９が正規姿勢でカード収容部１０に収容されることにより図７（ａ）に示すように、カード用回避部１２の傾斜面１２ａがカード用誤挿入防止部材２０の手前側斜面２０ａと互いに当接するようになっている。
【００４９】
一方、カード９が非正規姿勢の場合には、図７（ｂ）に示すように、カード９の端縁がカード用誤挿入防止部材２０と干渉して当て止めされ、カード９の他方の端部がトレイ部材１１の後端側に突出されるようになっている。
【００５０】
また、カード用誤挿入防止部材２０は、縮幅当て止め部１９の内側端面より内側に張り出した形状に形成され、カード９が未収容の状態では縮幅当て止め部１９の内側且つカード用誤挿入防止部材２０の先端側に回避部８が形成され、カード９が正規姿勢で収容された状態では図７（ａ）に示すように、カード用回避部１２が回避部８の一部を構成し、縮幅当て止め部１９とカード用回避部１２の傾斜面１２ａとの間且つカード用誤挿入防止部材２０の先端側に回避部８が形成されるようになっている。
【００５１】
また、他方の側壁部１６には、カード状体挿入方向手前側端部に摘み部材２１が一体に形成され、この摘み部材２１を操作して引き出し方向に移動させることにより、トレイ部材１１をカード挿入部３より引き出すことができ、また、それに伴い当て止め部１７に先端縁を押されてカード９が引き出されるようになっている。
【００５２】
尚、この摘み部材２１は、カード状体２、即ちトレイ部材１１がハウジング４に対し正規挿入位置まで挿入された際、ハウジング４のカード状体挿入方向手前側端部の一方の側部に形成された凹部４ａに嵌り込むようになっている。
【００５３】
ハウジング４は、図８に示すように、絶縁性合成樹脂製のモールド基台２２を有するケース本体２３と、導電性金属板材製のシールドカバー２４とを組み合わせることにより前面にカード挿入部３が開口した中空箱状に形成されている。
【００５４】
尚、カード挿入部３のトレイ挿抜方向の奥行は、正規挿入位置において、カード状体２の略全体がハウジング４内に収容されるように形成されている。
【００５５】
ケース本体２３は、図９に示すように、絶縁性合成樹脂材製のモールド基台２２と、導電性金属板材からなるフレーム部材２５とを備え、カード状体挿抜方向両端が開口した正面視凹状を成し、モールド基台２２がカード挿入部３の内底部を構成するようになっている。
【００５６】
フレーム部材２５は、導電性金属製板材を打ち抜き・折り曲げ加工することにより形成され、底板部２６の両側縁より鉛直上向きに折り曲げた形状にケース側板部２７，２７が備えられている。
【００５７】
また、フレーム部材２５の底板部２６は、その中央部を広く窓状に切欠いた形状に形成され、この切欠いた部分を通してモールド基台２２の底面がケース本体２３の底面に露出するようになっている。
【００５８】
モールド基台２２は、一体成形によりフレーム部材２５の底板部２６と一体化され、側部を除きフレーム部材２５底板部の内底面を覆うように平板状に形成され、それによりケース本体２３の両側部にフレーム部材２５の底板部２６を底面としたカード状体挿抜方向に向けた幅の異なる凹溝状のガイド溝２８ａ，２８ｂが形成され、カード挿入部３の開口がコネクタ幅方向で非対称な形状になっている。
【００５９】
そして、トレイ部材１１が正規姿勢でカード挿入部３に挿入された場合にのみ、支持片１８がガイド溝２８ａに挿入されるようになっている。
【００６０】
また、モールド基台２２には、一体成形により形状の異なる２種類の複数のコンタクト５，５...、６，６...が互いに平行な２列配置に組み込まれている。
【００６１】
各コンタクト５，５...、６，６...は、弾性を有する導電性金属材を打ち抜き・折り曲げ加工することにより形成され、それぞれモールド基台２２に固定される固定片と、固定片に基端を支持させて斜め方向に立ち上げた形状の弾性接触片と、モールド基台２２部の底面、即ちケース本体２３の底面に露出し、プリント配線基板に半田付け等により接続される接続端子片とを一体に備え、弾性接触片がモールド基台２２の上面、即ちカード挿入部３内に突出し、カード挿入部３に挿入されたカード状体２の片面に露出したカード９の信号伝達端子１３，１３...と接触するようになっている。
【００６２】
シールドカバー２４は、図１０に示すように、導電性の金属板材を打ち抜き・折り曲げ加工することにより形成され、平板状の天板部２９と、天板部２９の両側部より鉛直下向きに折り曲げた形状のシールド側板部３０，３０とを一体に備え、ケース本体２３に組み込むことにより天板部２９がケース本体２３の上面部に被せられるとともに、両シールド側板部３０，３０がケース側板部２７，２７の外側に嵌め込まれ、ケース本体底板部２６と天板部２９とが互いに対向し、その間にカード挿入部３が形成されるようになっている。
【００６３】
シールドカバー２４は、天板部２９の一方の端縁部、即ち、カード状体挿入方向先端縁部両側に一対のトレイストッパー部材３１，３２が一体に支持されている
【００６４】
両トレイストッパー部材３１，３２は、天板部２９の端縁より鉛直下向きに折り曲げた形状のストッパー片３３と、ストッパー片３３の下端より水平方向挿入手前側に折り曲げた形状の張り出し片３４とを備え、カード挿入部３に挿入されたトレイ部材１１の端面が正規挿入位置Ｐ１でストッパー片３３に当て止めされるようになっている。
【００６５】
各トレイストッパー部材３１，３２は、ストッパー片３３のコネクタ幅方向の幅が異なり、一方のトレイストッパー部材３１をトレイ部材１１の当て止め部１７の幅に、他方のトレイストッパー部材３２をトレイ部材１１の縮幅当て止め部１９の幅にそれぞれ対応させている。
【００６６】
また、シールドカバー２４には、他方のトレイストッパー部材３２の内側に天板部２９を構成する金属板材を切り起こし、折り曲げ加工することにより誤挿入防止部材７が形成され、シールドカバー２４をケース本体２３に組み込むことにより、この誤挿入防止部材７がカード挿入部３奥側にコネクタ幅方向の一方に片寄せて配置されるようになっている。
【００６７】
この誤挿入防止部材７は、図１１に示すように、表面をカード状体挿入方向手前側に向けた受面部３５と、受面部３５のカード状体挿入方向奥側に配置され且つ受面部３５と交差する方向に向けた交差部３６とを備えた形状に形成されている。
【００６８】
交差部３６は、折り目３７より鉛直下向きに折り曲げた形状の一方の交差側板３８と、一方の交差側板３８の下縁より水平方向に折り曲げた形状の交差底板３９と、交差底板３９の他方の側縁より鉛直上向きに折り曲げた形状の他方の交差側板４０とを備え、両交差側板３８，４０及び交差底板３９によりカード状体挿抜方向の断面が上向きに開口したコ字状に形成されている。
【００６９】
受面部３５は、一方の交差側板３８のカード状体挿入方向手前側縁より鉛直に折り曲げた形状に形成され、その表面がカード状体挿入方向手前側に向けられている。
【００７０】
これにより誤挿入防止部材７は、カード状体挿入方向に作用する力に対して高い耐力を有する構造が得られる一方、交差部３６の打ち抜きによる破断面が受面部３５に覆われているのでトレイ部材１１を傷つけることがない。
【００７１】
また天板部２９には、カード状体挿入方向先端縁部の中央側に互いに間隔を置いて配置された一対のカードストッパー部材４１，４１が一体に支持され、トレイ部材１１に収容されたカード９の端縁が正規挿入位置Ｐ１で当て止めされるようになっている。
【００７２】
シールド側板部３０，３０は、細長板状に形成され、長手方向に間隔を置いて板厚方向に貫通した係止孔４２を備え、この係止孔４２がケース側板部２７，２７の外側に突出した係止突部４３と互いに係合することにより、ケース本体２３とシールドカバー２４とが組み込まれるようになっている。
【００７３】
尚、ハウジング４の両側部には、カード状体挿入方向手前側にカード挿入部３の内側面部に突出し、カード状体２、即ちトレイ部材１１側部に形成されたスライド溝４４に挿入される弾性抜け止め片４５が備えられている。
【００７４】
弾性抜け止め片４５は、ケース側板部２７，２７及びシールド側板部３０，３０を構成する金属板材を切り起こし加工することにより、それぞれに先端を手前内側に向けた片持ち板ばね状の片持ちバネ片４５ａ，４５ｂを形成し、それを重ね合わせることにより構成されている。
【００７５】
この弾性抜け止め片４５は、トレイ部材１１の挿抜に伴い先端がスライド溝４４底部を摺動するようになっており、トレイ部材１１が所定の引き出し位置においてスライド溝４４の先端側内端面が弾性抜け止め片４５と係合して一定の力以下ではハウジング４より離脱することができず、一定の力以上で引抜くことによりハウジング４より離脱するようになっている。
【００７６】
このように構成されたカードコネクタ１は、カード状体２が正規姿勢で挿入された場合、カード状体２に回避部８が形成されたことにより、図１２（ａ）に示すように、カード状体２が誤挿入防止部材７と干渉しないので正規挿入位置Ｐ１まで挿入することができる。
【００７７】
一方、カード状体２が図１２（ｂ）、図１２（ｃ）に示す不正規姿勢にある場合には、カード状体２の正規挿入位置Ｐ１に至る移動が規制されるようになっている。
【００７８】
図１２（ｂ）に示す不正規姿勢では、トレイ部材１１が表裏逆向きにカード挿入部３に挿入されている。この場合、トレイ部材１１の挿入側端面形状を非対称とするとともに、カード挿入部３の開口形状をトレイ部材１１の端面形状に合わせて非対称に形成されたことにより、カード状体２の挿入が規制されるようになっている。
【００７９】
しかしながら、薄型のカードコネクタ１の場合、トレイ部材１１の非対称形状を構成する支持片１８の突出高さはごく低いものであり、強引にトレイ部材１１をカード挿入部３に挿し込むことでトレイ部材１１がカード挿入部３内に挿入されてしまう虞がある。
【００８０】
その場合には、トレイ部材１１先端部の回避部８が形成されていない側が誤挿入防止部材７側に位置するので、誤挿入防止部材７にトレイ部材１１の端縁、即ち当て止め部１７の端面が当て止めされ、トレイ部材１１の正規挿入位置Ｐ１に至る移動が規制され、それによりカード状体２の後端部がハウジング４の後端より突き出た状態（Ｐ２位置）となる。
【００８１】
次に、図１２（ｃ）に示す不正規姿勢では、トレイ部材１１に対しカード９が不正規姿勢、即ち、カード９の表裏が逆向き又は先後逆向きになっている。
【００８２】
この場合には、図７（ｂ）に示すように、カード９の一方端縁のカード用回避部１２が形成されていない側がカード用誤挿入防止部材２０側に位置するので、カード９の端縁がカード用誤挿入防止部材２０に当て止めされ、カード状体２を構成するカード９の他端がトレイ部材１１の端面より突き出るようになっている。
【００８３】
また、トレイ部材１１及びカード９がそれぞれ不正規姿勢の場合には、図１２（ｃ）に示すように、ハウジング４の端面より二段階配置で突き出るようになっている（Ｐ３位置）。
【００８４】
尚、上述の実施例では、誤挿入防止部材７をシールドカバー２４の天板部２９を構成する金属板材を切り起こし加工することにより形成した例について説明したが、図１３に示すように、誤挿入防止部材５０を合成樹脂製のモールド基台２２上面に一体に突設させたものであってもよい。尚、上述の実施例と同様の構成には、同一符号を付して説明を省略する。
【００８５】
また、上述の実施例では、トレイ部材１１にカード用誤挿入防止部材２０を備えて例について説明したが、トレイ部材１１にカード用誤挿入防止部材２０及び縮幅当て止め部１９を設けず、図１４〜図１６に示す実施例のようにしてもよい。尚、上述の実施例と同様の構成には、同一符号を付して説明を省略する。
【００８６】
トレイ部材６０は、カード用誤挿入防止部材２０及び縮幅当て止め部１９を設けず、カード９未挿入時には、カード収容部１０の他方の側壁部１６内側が回避部８を構成し、カード９挿入時には、他方の側壁部１６とカード用回避部１２の傾斜面１２ａとの間に回避部６１が形成されるようになっている。
【００８７】
一方、誤挿入防止部材６２は、図１４に示すように、モールド基台２２上面に一体に突設され、カード用回避部１２の形状に合わせた平面視三角形状に形成されている。
【００８８】
この場合、トレイ部材６０が正規姿勢であって、カード９が不正規姿勢の場合には、図１６（ｂ）に示すように、カード９の端縁が誤挿入防止部材６２に当て止めされて他方の端部がトレイ部材６０の端面より突き出るようになっている（Ｐ５位置）。
【００８９】
また、トレイ部材６０が不正規姿勢、即ち、表裏逆向きに挿入されると、図１６（ｃ）に示すように、当て止め部１７が誤挿入防止部材６２に当て止めされて正規挿入位置Ｐ４に至る移動が規制され、トレイ部材６０の後端側がハウジング４の端面より突き出るようになっている（Ｐ６位置）。
【００９０】
また、上述の実施例では、誤挿入防止部材７をハウジング４に備えた例について説明したが、ハウジング４は、電子機器Ａに取り付けられた際に電子機器Ａの一部がカード挿入部３内に導入されるような形状に形成され、電子機器Ａの一部が誤挿入防止部材７を構成するようにしてもよい。
【００９１】
また、上述の各実施例では、トレイ部材１１に摘み部材２１を一方の端部に備えたものについて説明したが、本発明においては、摘み部材２１にカード状体の誤挿入防止を担わせる必要がないため設計上の自由度が高く、摘み部材２１をトレイ幅方向で対称な形状とすることも可能である。また、摘み部材２１を設けずにカード状体２の取出し機構を別個に設けてもよい。
【００９２】
更に、上述の如き構成のカードコネクタ１を使用した携帯電話機やスマートフォン等の電子機器Ａのカード接続構造にあっては、例えば図１７に示すように、ハウジング４が取り付けられた電子機器Ａの挿入方向手前側に着脱可能に収容される抜け出し防止体７０を備え、カード状体２が正規姿勢で挿入された際に抜け止め防止体７０を電子機器Ａに収容することにより、カード状体２の端縁が抜け止め防止体７０に当て止めされるようにしてもよい。
【００９３】
この場合、上述の如きカードコネクタ１は、カード状体２がカード挿入部３に非正規姿勢で挿入された際、図１２（ｂ）（ｃ）又は図１６（ｂ）（ｃ）に示すように、正規挿入位置Ｐ１に至る移動が規制されるので、このカード接続構造にあっては、カード状体２の手前側端部がハウジング４のカード状体挿入方向手前側に突き出るため、突き出た部分が干渉して抜け止め防止体７０の電子機器Ａへの取付けが規制されるようになっている。
【００９４】
尚、この抜け出し防止体７０は、バッテリーパック等の電子機器Ａに取り付けられることにより電子機器Ａへ電力を供給するための回路の一部を構成するものであってもよい。
【００９５】
この場合、カード状体２が不正規姿勢で挿入された場合、抜け出し防止体の電子機器Ａへの取付けが規制されるため、カード状体２が誤って挿入された状態下では、電子機器Ａへの電力供給が防止され、短絡による電子機器Ａの故障を防止することができる。
【００９６】
また、抜け出し防止体７０は、電子機器筐体の外側面部に嵌め込まれてカード接続構造部分を閉鎖するための蓋部材等であってもよい。
【００９７】
尚、上述の実施例では、カード状体２にトレイ部材１１を備えた例について説明したが、カード状体２はカード単体であってもよい。
【００９８】
また、上述の実施例ではカードとしてＩＣカードを例に説明したが、フラッシュメモリーカードやその他のカードであってもよい。
【００９９】
また、上述の実施例では、カード状体を手で挿入及び引き出すようにした構造のカードコネクタを例示したが、カードコネクタの挿抜構造は、このような構造に限定されず、例えば、カード状体を取り出し方向に押し出すためのスライダと、スライダを引き出し方向に付勢するコイルスプリング等の付勢手段と、スライダを所要の挿入位置にてロックするハートカム機構等からなるロック機構とを備えた、公知な、いわゆるプッシュイン・プッシュアウトタイプのカードコネクタ等であってもよい。
【符号の説明】
【０１００】
Ａ  電子機器
１  カードコネクタ
２  カード状体
３  カード挿入部
４  ハウジング
５、６  コンタクト
７  誤挿入防止部材
８  回避部
９  カード
１０  カード収容部
１１  トレイ部材
１２  カード用回避部
１３  信号伝達端子
１４  トレイ底板部
１５，１６  側壁部
１７  当て止め部
１８  支持片
１９  縮幅当て止め部
２０  カード用誤挿入防止部材
２１  摘み部材
２２  モールド基台
２３  ケース本体
２４  シールドカバー
２５  フレーム部材
２６  底板部
２７  ケース側板部
２８  ガイド溝
２９  天板部
３０  シールド側板部
３１、３２  トレイストッパー部材
３３  ストッパー片
３４  張り出し片
３５  受面部
３６  交差部
３７  折り目
３８  交差側板
３９  交差底板
４０  交差側板
４１  カードストッパー部材
４２  係止孔
４３  係止突部
４４  スライド溝
４５  弾性抜け止め片
【図１】
2014041701.tif 000003
【図２】
2014041701.tif 000004
【図３】
2014041701.tif 000005
【図４】
2014041701.tif 000006
【図５】
2014041701.tif 000007
【図６】
2014041701.tif 000008
【図７】
2014041701.tif 000009
【図８】
2014041701.tif 000010
【図９】
2014041701.tif 000011
【図１０】
2014041701.tif 000012
【図１１】
2014041701.tif 000013
【図１２】
2014041701.tif 000014
【図１３】
2014041701.tif 000015
【図１４】
2014041701.tif 000016
【図１５】
2014041701.tif 000017
【図１６】
2014041701.tif 000018
【図１７】
2014041701.tif 000019